(57)【要約】【課題】フレネルレンズの背面にＡＲフィルムを備えることで、フレネルレンズが反射した投影光が透過型スクリーンの外部に漏れることを防ぐ。【解決手段】透過型スクリーン（３１０）に対して垂直方向に投影光を屈折させるフレネル（３１３）と、前記フレネル（３１３）の正面側に当該フレネル（３１３）によって屈折させられた投影光を拡散させる拡散フィルム（３１２）と、前記拡散フィルム（３１２）の正面側に当該拡散フィルム（３１２）を支持するアクリル板（３１１）と、前記フレネル（３１３）の背面側に当該フレネル（３１３）が反射した投影光を前記透過型スクリーン（３１０）の外部に漏れないようにする反射防止フィルム（３１４）とを備えた透過型スクリーン。【選択図】  図３
2014102316.tif 000002
【特許請求の範囲】
【請求項１】
背面側から投影光を入射され正面側に出射をして画像を表示する透過型スクリーンであって、
前記透過型スクリーンに対して垂直方向に投影光を屈折させるフレネルと、
前記フレネルの正面側に当該フレネルによって屈折させられた投影光を拡散させる拡散フィルムと、
前記拡散フィルムの正面側に当該拡散フィルムを支持するアクリル板と、
前記フレネルの背面側に当該フレネルが反射した投影光を前記透過型スクリーンの外部に漏れないようにする反射防止フィルムと、
を備えたことを特徴とする透過型スクリーン。
【請求項２】
前記反射防止フィルムは、バーコード層を形成したベースフィルムの表面に、無機の誘電体膜を多層コートした請求項１に記載の透過型スクリーン。
【請求項３】
請求項１又は請求項２に記載の透過型スクリーンと、
前記透過型スクリーンに映像を投影するコンテンツ再生装置と、
を備えたことを特徴とするコンテンツ再生システム。
【請求項４】
前記コンテンツ再生装置から投影された投影光を前記透過型スクリーンに対して反射するミラーを更に備えた請求項３に記載のコンテンツ再生システム。
【請求項５】
前記コンテンツ再生装置は、
プロジェクタと、コンテンツ供給装置からなり、
前記プロジェクタは、前記コンテンツ供給装置から供給されたコンテンツを投影する請求項３又は請求項４に記載のコンテンツ再生システム。
【発明の詳細な説明】
【技術分野】
【０００１】
本発明は、透過型スクリーン及び透過型スクリーンを用いたコンテンツ再生システムに関する。
【背景技術】
【０００２】
聴取者に対して広告内容等のコンテンツを提示する際の印象を高めるために、特許文献１に記載の発明のように、人型に成形されたスクリーンに、そのスクリーン輪郭に合わせた形状のコンテンツ映像を投影するという技術が考えられている。
【０００３】
また、背面投射型映像表示装置において、特許文献２に記載の発明のように、レンチキュラーレンズシートと前面板の入射側面との間に、光拡散材を分散させることにより光拡散機能を持たせた第１粘着層を設け、これによりレンチキュラーレンズシートと前面板とを結合し、更に、該前面板の出射側面とＡＲフィルムとの間に、光拡散材を分散させることにより光拡散機能を持たせた第２粘着層を配置し、これにより前面板とＡＲフィルムと結合し一体化した透過型スクリーンが考えられている。
【先行技術文献】
【特許文献】
【０００４】
【特許文献１】特開２０１１−１５０２２１号公報
【特許文献２】特開２００５−１０５４５号公報
【発明の概要】
【発明が解決しようとする課題】
【０００５】
しがしながら、上記特許文献２の透過型スクリーンを上記特許文献１の映像出力装置搭載機器に用いる等のスクリーンからミラー間を覆うカバーがない場合、投影光がフレネルレンズに反射してしまう。
【０００６】
その為、そのフレネルレンズの反射光が、設置した部屋の壁や天井に映し出されてしまう。
【０００７】
本発明は、上記のような事情に鑑みてなされたもので、フレネルレンズの反射光が外部に映し出されない透過型スクリーン及び透過型スクリーンを用いた映像再生システムを提供することである。
【課題を解決するための手段】
【０００８】
本発明の一実施形態は、背面側から投影光を入射され正面側に出射をして画像を表示する透過型スクリーンであって、前記透過型スクリーンに対して垂直方向に投影光を屈折させるフレネルと、前記フレネルの正面側に当該フレネルによって屈折させられた投影光を拡散させる拡散フィルムと、前記拡散フィルムの正面側に当該拡散フィルムを支持するアクリル板と、前記フレネルの背面側に当該フレネルが反射した投影光を前記透過型スクリーンの外部に漏れないようにする反射防止フィルムと、を備えたことを特徴とする。
【発明の効果】
【０００９】
本発明によれば、フレネルレンズの反射光が外部に映し出されない透過型スクリーン及び透過型スクリーンを用いたコンテンツ再生制御システムを提供できる。
【図面の簡単な説明】
【００１０】
【図１】は  本発明の一実施形態に係るコンテンツ再生システムの使用状況を示す概略図である。
【図２】は、同実施形態に係る透過型スクリーンを示す図である。
【図３】は、同実施形態に係るコンテンツ再生制御装置の機能の概略構成を示すブロック図である。
【図４】は、同実施形態に係るコンテンツ再生制御装置の動作の処理内容を示すフローチャートである。
【図５】は、同実施形態に係る透過型スクリーンを用いたコンテンツ再生システムの変形例を示す図である。
【図６】は、同実施形態に係る透過型スクリーンを用いたコンテンツ再生システムの変形例を示す図である。
【発明を実施するための形態】
【００１１】
以下、本発明の一実施形態によるコンテンツ再生制御装置について図面を参照して説明する。図１は、この発明の一実施形態によるコンテンツ再生制御装置１００を含むコンテンツ再生システムの使用状況を示す概略図である。
【００１２】
同図に示すように、コンテンツ再生制御装置１００は、例えば無線通信等を用いてコンテンツ供給装置であるサーバ２００に接続され、サーバ２００はコンテンツ映像再生装置であるプロジェクタ３００に接続されている。このプロジェクタ３００の出力光照射方向側にはスクリーン３１０が設置されている。プロジェクタ３００は、サーバ２００から供給されるコンテンツを受信して透過型スクリーン３１０の背面に投影光を投影し、例えば人物画像等のコンテンツ３２０を透過型スクリーン３１０の正面に映像を写す。
【００１３】
コンテンツ再生制御装置１００はマイク１０７とスピーカ１１０とを備えている。コンテンツ再生制御装置１００はこのマイク１０７により聴衆者の会話の音（音声）を検出することによって聴衆者がいることを感知する。そして、コンテンツ再生制御装置は聴衆者がいる判別された場合、２００に記憶されているコンテンツを検索し、そのコンテンツを、スピーカ１１０を用いて音声として聴取者に提供する。
【００１４】
サーバ２００は映像のコンテンツ３２０や音声のコンテンツを記憶している。そして、サーバ２００はコンテンツ再生制御装置１００からの指令に基づいてプロジェクタ３００及びコンテンツ再生制御装置１００にコンテンツを供給する。
【００１５】
プロジェクタ３００は例えば、アレイ状に配列された複数、例えばＸＧＡ（横１０２４画素×縦７６８画素）個の微小ミラーの各傾斜角度を個々に高速でオン／オフ動作して表示動作することで、その反射光により光像を形成する表示素子であるＤＭＤを利用したＤＬＰ（Ｄｉｇｉｔａｌ  Ｌｉｇｈｔ  Ｐｒｏｃｅｓｓｉｎｇ）（登録商標）方式のデータプロジェクタである。
【００１６】
図２は、本実施形態に係る透過型スクリーン３１０を示す図である。矢印イは投影光イを示し矢印イの方向で透過型スクリーン３１０に入射している。図２Ａは、透過型スクリーン３１０を正面から見た投影前の図で、図２Ｂ、透過型スクリーン３１０を正面から見た投影後の図で、図２Ｃは、透過型スクリーン３１０の断面図である。
【００１７】
図２Ａ、図２Ｂに示すように透過型スクリーン３１０は、投影するコンテンツの形状になるように樹脂板が切断されて作成され、背面投射用のスクリーンとしての機能を有する。
【００１８】
図２Ｃに示すように、透過型スクリーンは投影光の入射方向からＡＲフィルム３１４（反射防止フィルム）とフレネル３１３と拡散フィルム３１２とアクリル板３１１の順に構成される。
【００１９】
フレネル３１３は、プロジェクタ３００からの投影光を視聴者方向に向く様、透過型スクリーン３１０に対して垂直方向に屈折させる。左右方向に広がる光線も同様に正面方向に屈折させる。このとき、図示の通り、フレネル３１３は投影光イを水平方向に屈折させるだけではなく、投影光イを例えば矢印ロのように上方に反射光ロを反射してしまう。特に、暗い場所で投影した場合、フレネル３１３に反射した光で例えば、天井に映像が映ってしまうこともある。
【００２０】
プロジェクタ３００からの投影光がフレネル３１３を通り、拡散フィルム３１２で拡散する事によって透過型スクリーン３１０に映像を写す。
【００２１】
拡散フィルム３１２は、そのままでは薄く自立出来ない為、拡散フィルム３１２を貼り付けて自立させるためにアクリル板３１１を用いる。
【００２２】
ＡＲフィルム３１４は、図３に示すようにハードコート層を形成したベースフィルム３１４２の表面に、無機の誘電体膜を多層にコートした反射防止層からなるものである。
【００２３】
この構造によって、ＡＲフィルム３１４は、フレネル３１３を反射した反射光ロを、矢印ハが示すような反射防止層３１４１の表面を反射する反射光ハと、矢印ニが示すような反射防止層３１４１とベースフィルム３１４２の界面を反射する反射光ニとからなる２種類の反射光で反射する。
【００２４】
反射光ハと反射光ニが逆位相となるように、反射防止層３１４１の屈折率と膜厚とベースフィルム３１４２の屈折率を調節して形成する。反射光ハと反射光ニが逆位相となることで、干渉し打ち消しあう。よってフレネル３１３の反射光ロが透過型スクリーン３１０の背面から外部に漏れることを防いでいる。
【００２５】
このＡＲフィルム３１０をフレネル３１３の背面側に設置することで、例えば、暗い場所で投影した場合でも、フレネル３１３が反射した反射光ロが例えば、天井等に映し出されるということを防ぐことができる。
【００２６】
次に図４により本実施形態に係るコンテンツ制御装置１００の概略機能構成について説明する。
【００２７】
同図中、符号１１２は中央制御部（ＣＰＵ）である。このＣＰＵ１１２がコンテンツ再生制御装置１００での動作すべてを統括して制御する。
【００２８】
このＣＰＵ１１２は、記憶部１１４と直接接続される。記憶部１１４は全体制御プログラム１１４Ａ、その他ワーク用領域１１４Ｂ等を備える。
【００２９】
全体制御プログラム１１４Ａは、ＣＰＵ１１２が実行する動作プログラムや各種定型データ等である。
【００３０】
その他ワーク用データ領域１１４Ｂは、ＣＰＵ１１２のワークメモリとして機能する。
【００３１】
ＣＰＵ１１２は、上記記憶部１１４に記憶されているプログラムや定型データ等を読出し、その他ワーク用領域１１４Ｂに展開して当該プログラムを実行することにより、このコンテンツ再生制御装置を統括して制御する。
【００３２】
上記ＣＰＵ１１２はさらに、操作部１０３と接続される。操作部１０３は図示しないリモコン等からのキー操作信号を受信し、当該キー操作信号をＣＰＵ１１２に供給する。ＣＰＵ１１２は操作部１０３からの操作信号に応じて電源の投入やモード切替え等の各種動作を実行する。
【００３３】
上記ＣＰＵ１１２はさらに、表示部１０４と接続される。表示部１０４は操作部１０３からの操作信号に対応した種々の操作状況等を表示する。
【００３４】
上記ＣＰＵ１１２はさらに、通信部１０１、コンテンツ入力部１０２と接続される。
通信部１０１は例えば無線通信を利用して、ＣＰＵ１１２からの命令に基づいて、所望するコンテンツがコンテンツ供給装置２００内にあるか否かをサーチするサーチ命令等をサーバ２００に送信する。尚、有線通信を利用して、コンテンツのサーチ命令等をサーバ２００に送信してもよいことは勿論である。
コンテンツ入力部１０２はサーバ２００から供給されるコンテンツを無線通信又は有線通信により受け取り、ＣＰＵ１１２にそのコンテンツを渡す。
【００３５】
上記ＣＰＵ１１２はさらに、人感センサ部１０５、音声入力部１０６、音声出力部１０９及び映像出力部１１１と接続される。
人感センサ部１０５は例えば赤外線センサ等、聴取者がコンテンツ再生制御装置の前の所定の範囲内にいるか否かを感知するセンサである。人感センサ１０５からの検出出力が予め設定したしきい値レベル以上となった場合、ＣＰＵ１１２は聴取者がコンテンツ再生制御装置の前の所定の範囲内にいると判断する。
【００３６】
音声入力部１０６はマイク１０７が接続される。音声入力部１０６はマイク１０７を用いてコンテンツ再生制御装置の設置されている場所の周辺の音を拾い、取得した音を音声データとしてＣＰＵ１１２に供給する。
音声出力部１０９にはスピーカ１１０が接続され、このスピーカ１１０を用いてサーバ２００から供給された音声ファイルを実際の音声に変換して音声発生させる。
【００３７】
映像出力部１１１はプロジェクタ３００に、サーバ２００から供給されたコンテンツのうち画像のコンテンツのデータを供給する。
【００３８】
上記ＣＰＵ１１２には、さらに、撮像部１０８が接続される。
撮像部１０８は、コンテンツ再生制御装置１００の前の所定の範囲の画角で、コンテンツ再生制御装置の周囲の画像を撮影し、取得された画像データをＣＰＵ１１２に供給する。この取得された画像データを基に、例えば画像認識などを行い、所定の範囲内に聴衆者がいるか否かを感知する。
【００３９】
上記ＣＰＵ１１２はさらに、電源制御部１１３を備える。
電源制御部１１３は、コンテンツ再生制御装置を構成する全ての構成装置に対する電源供給を個別に制御し、適切に省電力が図れるように制御する。
【００４０】
次に上記実施形態の動作について説明する。
【００４１】
なお以下に示す動作は、上述した如くＣＰＵ１２がプログラムメモリ１３Aから読出した動作プログラムや定型データ等をワーク用領域１１４Ｄに展開した上で実行するものである。全体制御プログラムとして記憶される動作プログラム等は、このコンテンツ再生制御装置１００の工場出荷時に記憶されていたもののみならず、ユーザがこのコンテンツ再生制御装置１００を購入後に通信部１０１を介して図示しないパーソナルコンピュータ等からインターネット経由でダウンロードしたバージョンアップ用のプログラム等によりインストールした内容を含む。
【００４２】
図５は、本実施形態に係るコンテンツ再生制御装置の動作の処理内容を示すフローチャートである。
ＣＰＵ１１２は、その当初には、操作部３により電源をオンする図示しないリモートコントローラ等からのキー操作があるのを待機する（ステップＳ１０１）。このときにＣＰＵ１１２は、電源オンに必要な部分を除く回路への電力供給を電源制御部１１３により停止させている。
【００４３】
電源をオンするキー操作がリモートコントローラでなされた時点でＣＰＵ１１２は、上記ステップＳ１０１でそれを判断すると、所定の初期設定処理を実行した後に（ステップＳ１０２）
【００４４】
以後ＣＰＵ１１２は、人感センサ１０５からの検出出力が予め設定したしきい値レベル以上となるのを繰返し判断することで、当該コンテンツ再生制御装置１００の前の所定の範囲内に再生コンテンツを提供すべき対象となる人（聴取者）がいるか否かを感知するのを待機する（ステップＳ１０３）。なお、上述の通りに、マイク１０７により聴取者の会話の音（音声）を検出することによって聴衆者がいることを感知してもよく、撮像部１０８によって取得された画像データを基に、例えば画像認識などを行い、所定の範囲内に聴衆者がいるか否かを感知してもよい。
【００４５】
上記ステップＳ１０４で再生コンテンツを提供すべき対象となる人（聴衆者）がいると感知された場合、ＣＰＵ１１２は、コンテンツ入力部から入力されたコンテンツの再生準備を行う（ステップ１０４）。
【００４６】
ＣＰＵ１１２は、上記ステップＳ１０５で準備されたコンテンツの映像部分をプロジェクタ等のコンテンツ映像再生装置３００に出力し、音声出力部１０９を通して、スピーカ１１０より出力する（ステップＳ１０５）。
【００４７】
ＣＰＵ１１２は、電源オフ操作があるか否かを判断する（ステップＳ１０６）。
ステップＳ１０６で、操作が電源オフ操作があると判断された場合、ＣＰＵ１１２は、所定の電源オフ処理を行い（ステップＳ１０７）、上記ステップＳ１０１に戻る。
【００４８】
なお、上記実施形態では、プロジェクタ３００から直接、透過型スクリーン３１０に投影したがこれに限らず、図６のようにミラー３３０を用いてもよい。
【００４９】
図６のようにミラーを用いることによって投影光が通る距離が長くなり、コンテンツ再生システムを小さくすることができる。
【００５０】
なお、上記実施形態では、当該コンテンツ再生制御装置１００は、コンテンツ供給装置２００、コンテンツ映像再生装置３００と別体のものとして説明したが、これに限らず、当該コンテンツ再生制御装置１００は、コンテンツ供給装置２００及び又はコンテンツ映像再生装置３００と一体になってコンテンツ再生制御装置としてもよい。
そのようにすれば、システムをよりコンパクトなものにすることができる。
【００５１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５２】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
背面側から投影光を入射され正面側に出射をして画像を表示する透過型スクリーンであって、
前記透過型スクリーンに対して垂直方向に投影光を屈折させるフレネルと、
前記フレネルの正面側に当該フレネルによって屈折させられた投影光を拡散させる拡散フィルムと、
前記拡散フィルムの正面側に当該拡散フィルムを支持するアクリル板と、
前記フレネルの背面側に当該フレネルが反射した投影光を前記透過型スクリーンの外部に漏れないようにする反射防止フィルムと、
を備えたことを特徴とする透過型スクリーン。
＜請求項２＞
前記反射防止フィルムは、バーコード層を形成したベースフィルムの表面に、無機の誘電体膜を多層コートした請求項１に記載の透過型スクリーン。
＜請求項３＞
請求項１又は請求項２に記載の透過型スクリーンと、
前記透過型スクリーンに映像を投影するコンテンツ再生装置と、
を備えたことを特徴とするコンテンツ再生システム。
＜請求項４＞
前記コンテンツ再生装置から投影された投影光を前記透過型スクリーンに対して反射するミラーを更に備えた請求項３に記載のコンテンツ再生システム。
＜請求項５＞
前記コンテンツ再生装置は、
プロジェクタと、コンテンツ供給装置からなり、
前記プロジェクタは、前記コンテンツ供給装置から供給されたコンテンツを投影する請求項３又は請求項４に記載のコンテンツ再生システム。
【符号の説明】
【００５３】
１００…コンテンツ再生制御装置
１０１…通信部
１０２…コンテンツ入力部
１０３…操作部
１０４…表示部
１０５…人感センサ部
１０６…音声入力部
１０７…マイク
１０８…撮像部
１０９…音声出力部
１１０…スピーカ
１１１…映像出力部
１１２…ＣＰＵ
１１３…電源制御部
１１４…記憶部
２００…サーバ
３００…プロジェクタ
３１０…透過型スクリーン
３２０…画像のコンテンツ（投影画像）
３３０…ミラー
【図１】
2014102316.tif 000003
【図２】
2014102316.tif 000004
【図３】
2014102316.tif 000005
【図４】
2014102316.tif 000006
【図５】
2014102316.tif 000007
【図６】
2014102316.tif 000008